(57)【要約】【課題】異なるディスプレイタイプの異なるデータフォーマットを目標とするディスプレイタイプの目標とするデータフォーマットに変換可能な、適応型タイミングコントローラ及びその駆動方法を提案する。【解決手段】受信機、フレームバッファ、データフォーマットチェック回路及びデータ変換ユニットを含む適応型タイミングコントローラが提供される。受信機は、画像フレームの画像データを受信する。フレームバッファは、画像データを一時的に記憶する。データフォーマットチェック回路は、画像データと３次元ディスプレイパネルのディスプレイタイプを検出する。データ変換回路は、画像データを、３次元ディスプレイパネルのディスプレイタイプに対応する再配列された画像データに配列し直す。【選択図】図３
2012244625.tif 000002
【特許請求の範囲】
【請求項１】
画像フレームの画像データを受信する受信手段と、
前記画像データを一時的に記憶するフレームバッファと、
前記画像データと３次元ディスプレイパネルのディスプレイタイプを検出するデータフォーマットチェック手段と、
前記画像データを、前記３次元ディスプレイパネルのディスプレイタイプに対応する配列し直された画像データに配列し直すデータ変換手段と、
を備える適応型タイミングコントローラ。
【請求項２】
前記データ変換手段は、前記画像データのディスプレイタイプが第一のディスプレイタイプであり、前記３次元ディスプレイパネルのディスプレイタイプが第二のディスプレイタイプであると前記データフォーマットチェック手段が判定したとき、前記第一のディスプレイタイプに対応する画像データを、前記第二のディスプレイタイプに対応する再配列された画像データに配列し直す、
請求項１記載の適応型タイミングコントローラ。
【請求項３】
前記データ変換手段は、前記画像データのディスプレイタイプが第三のディスプレイタイプであり、前記３次元ディスプレイパネルのディスプレイタイプが第二のディスプレイタイプであると前記データフォーマットチェック手段が判定したとき、前記第三のディスプレイタイプに対応する画像データを、前記第二のディスプレイタイプに対応する再配列された画像データに配列し直す、
請求項２記載の適応型タイミングコントローラ。
【請求項４】
前記データ変換手段は、前記画像データのディスプレイタイプが第一のディスプレイタイプであり、前記３次元ディスプレイパネルのディスプレイタイプが第四のディスプレイタイプであると前記データフォーマットチェック手段が判定したとき、前記第一のディスプレイタイプに対応する画像データを、前記第四のディスプレイタイプに対応する再配列された画像データに配列し直す、
請求項２記載の適応型タイミングコントローラ。
【請求項５】
前記データ変換手段は、空間次元における画像データを時間次元における配列し直された画像データに配列し直すか、又は、前記データ変換手段は、時間／空間次元における画像データを空間次元における配列し直された画像データに配列し直す、
請求項１記載の適応型タイミングコントローラ。
【請求項６】
前記データフォーマットチェック手段は、Ｉ２Ｃバス、ＬＶＤＳ予約ビット又はＴＴＬバスを介して前記画像データのディスプレイタイプを識別する、
請求項１記載の適応型タイミングコントローラ。
【請求項７】
受信手段、フレームバッファ、データフォーマットチェック手段及びデータ変換手段を備える適応型タイミングコントローラの駆動方法であって、
前記受信手段が、画像フレームの画像データを受信するステップと、
前記フレームバッファが、受信された画像データを一時的に記憶するステップと、
前記データフォーマットチェック手段が、前記画像データと３次元ディスプレイパネルのディスプレイタイプを検出するステップと、
前記データ変換手段が、前記画像データを、前記３次元ディスプレイパネルのディスプレイタイプに対応する配列し直された画像データに配列し直すステップと、
を含む駆動方法。
【請求項８】
前記データ変換手段は第一のデータ変換手段を有し、
前記第一のデータ変換手段が、前記画像データのディスプレイタイプが第一のディスプレイタイプであり、前記３次元ディスプレイパネルのディスプレイタイプが第二のディスプレイタイプであると前記データフォーマットチェック手段が判定したとき、前記第一のディスプレイタイプに対応する画像データを、前記第二のディスプレイタイプに対応する再配列された画像データに配列し直すステップを更に含む、
請求項７記載の駆動方法。
【請求項９】
前記データ変換手段は第二のデータ変換手段を有し、
前記第二のデータ変換手段が、前記画像データのディスプレイタイプが第三のディスプレイタイプであり、前記３次元ディスプレイパネルのディスプレイタイプが第二のディスプレイタイプであると前記データフォーマットチェック手段が判定したとき、前記第三のディスプレイタイプに対応する画像データを、前記第二のディスプレイタイプに対応する再配列された画像データに配列し直すステップを更に含む、
請求項８記載の駆動方法。
【請求項１０】
前記データ変換手段は第三のデータ変換手段を有し、
前記第三のデータ変換手段が、前記画像データのディスプレイタイプが第一のディスプレイタイプであり、前記３次元ディスプレイパネルのディスプレイタイプが第四のディスプレイタイプであると前記データフォーマットチェック手段が判定したとき、前記第一のディスプレイタイプに対応する画像データを、前記第四のディスプレイタイプに対応する再配列された画像データに配列し直すステップを更に含む、
請求項８記載の駆動方法。
【発明の詳細な説明】
【技術分野】
【０００１】
本発明は、適応型タイミングコントローラ及びその駆動方法に関する。  
この出願は、2011年5月13日に提出された米国特許仮出願第61/486181号、2011年11月28日に提出された米国特許出願第13/304941号の利益を特許請求するものであり、これらの内容は、引用により本明細書に盛り込まれる。
【背景技術】
【０００２】
現代技術の活発な発展により、人は２次元画像装置が行うものよりも現実的な視覚的な楽しみを探している。従って、３次元画像に関連する技術は、日ごとに成熟した技術となっており、３次元画像を見るために３次元用眼鏡を適用する応用が普及している。一般的な市場における３次元用眼鏡による３次元ディスプレイパネルは、米国特許第554827号に示されるようなＰＲ（Pattern  Retarder）型３次元ディスプレイパネルと、米国特許第6687399号に示されるようなシャッターメガネ型３次元ディスプレイパネルといった、おおまかに２つのカテゴリに分類することができる。ＰＲ型３次元ディスプレイパネルは、左右の映像を走査線毎に交互に伝送する（line  alternative）データフォーマットで、入力データに対応する画像を表示し、シャッターメガネ型３次元ディスプレイパネルは、フレームシーケンシャル方式のデータフォーマットで、入力データに対応する画像を表示する。
【０００３】
図１を参照して、ＰＲ型ディスプレイパネルが示される。ＰＲ型３次元ディスプレイパネルは、左右の映像を走査線毎に交互に伝送するデータフォーマットで、入力されたデータに対応する画像を表示する。図１に示されるように、画像フレームは、交互に配置される左目画像と右目画像を含む。例えば、奇数ラインの画像は、左目用であり、偶数ラインの画像は、右目用である。フィルムは、左目画像と右目画像の光を異なる方向にそれぞれ偏向するため、ＰＲ型３次元ディスプレイパネルに配置される。従って、ユーザは、３次元画像を見るために対応する偏向眼鏡を介して、それらの左目で左目画像のみを見て、それらの右目により右目画像のみを見る。
【０００４】
図２を参照して、シャッターメガネ型３次元ディスプレイパネルが示される。チャッターグラス型３次元ディスプレイパネルは、フレームシーケンシャル方式のデータフォーマットで、入力されたデータに対応する画像を表示する。図２に示されるように、画像フレームは、フレームシーケンスで配列される左目画像と右目画像とを含む。例えば、奇数フレーム画像は、左目用であり、偶数フレーム画像は、右目用である。ユーザは、３次元画像を見るため、対応するシャッターメガネを介して、それらの左目で左目画像のみを見て、それらの右目で右目画像のみを見る。
【発明の概要】
【発明が解決しようとする課題】
【０００５】
例えば、ＴＶセットにおいて、ＳＯＣチップが、左右の映像を走査線毎に交互に伝送するデータフォーマットで、パネルモジュールにデータを出力した場合、パネルモジュールは、３次元画像を表示可能なようにＰＲ型３次元ディスプレイパネルを使用する。同様に、ＳＯＣが、フレームシーケンシャル方式で、パネルモジュールにデータを出力した場合、パネルモジュールは、３次元画像を表示可能なように、シャッターメガネ型３次元ディスプレイパネルを使用する。すなわち、ディスプレイパネルのタイプは、ＳＯＣチップから出力されるデータのデータフォーマットに拘束され、製造業者にとって不都合さを生じる。
【課題を解決するための手段】
【０００６】
本明細書の開示は、異なるディスプレイタイプの異なるデータフォーマットを目標とするディスプレイタイプの目標とするデータフォーマットに変換することができる、適応型タイミングコントローラ及びその駆動方法に向けられる。
【０００７】
本発明の第一の態様によれば、適応型タミングコントローラが提供される。適応型タイミングコントローラは、受信機、フレームバッファ、データフォーマットチェック回路及びデータ変換回路を含む。受信機は、画像フレームの画像データを受信する。フレームバッファは、画像データを一時的に記憶するために使用される。データフォーマットチェック回路は、画像データのディスプレイタイプと、３次元ディスプレイパネルのディスプレイタイプを検出するために使用される。データ変換回路は、画像データを、３次元ディスプレイパネルのディスプレイタイプに対応する配置し直された画像データに配置し直すために使用される。
【０００８】
本発明の第二の態様によれば、適応型タイミングコントローラの駆動方法が提供される。適応型タイミングコントローラは、受信機、フレームバッファ、データフォーマットチェック回路及びデータ変換ユニットを含む。駆動方法は、以下のステップを含む。受信機は、画像フレームの画像データを受信する。フレームバッファは、画像データを一時的に記憶する。データフォーマットチェック回路は、画像データのディスプレイタイプと、３次元ディスプレイパネルのディスプレイタイプを検出する。データ変換ユニットは、画像データを、３次元ディスプレイパネルのディスプレイタイプに対応する配置し直された画像データに配置し直すために利用される。
【０００９】
本発明は、限定するものではない好適な実施の形態に関する以下の詳細な説明から明らかとなるであろう。以下の説明は、添付図面を参照して行われる。
【図面の簡単な説明】
【００１０】
【図１】ＰＲ型３次元ディスプレイパネルを示す図である。
【図２】シャッターメガネ型３次元ディスプレイパネルを示す図である。
【図３】実施の形態に係るＴＶセットを示す概念的なブロック図である。
【図４】実施の形態に係る適応型タイミングコントローラの機能ブロック図である。
【図５】フレームパッキング方式のデータフォーマットによるフレーム画像データを示す図である。
【図６】トップボトム方式のデータフォーマットによるフレーム画像データを示す図である。
【図７】サイドバイサイド方式のデータフォーマットによるフレーム画像データを示す図である。
【発明を実施するための形態】
【００１１】
本発明の開示は、異なるディスプレイタイプの異なるデータフォーマットを目標とするディスプレイタイプの目標とするデータフォーマットに変換可能な、適応型タイミングコントローラ及びその駆動方法を提案するものであり、製造業者が異なるディスプレイタイプのディスプレイパネルを柔軟に選択するのを可能にするものである。
【００１２】
図３を参照して、本発明の実施の形態に係るＴＶセットを示す概念的なブロック図が示される。図３において、ＴＶセット３００は、ＳＯＣチップ３１０、適応タイミングコントローラ３２０及び３次元ディスプレイパネル３３０を含む。ＳＯＣチップ３１０は、異なるディスプレイタイプに対応する異なるデータフォーマットをもつ画像データを、適応型タイミングコントローラ３２０に出力する。ＳＯＣチップ３１０は、Ｉ２Ｃ（Inter-IC  Bus）バス、ＬＶＤＳ（Law  Voltage  Differential  Signaling）予約ビット又はＴＴＬ（Transistor-Transistor  Logic）バスを利用して、適応タイミングコントローラ３２０に、どの種類のディスプレイタイプの画像データであるかを示す。適応型タイミングコントローラ３２０がどのような種類のディスプレイタイプの画像データであるかを識別した後、適応型タイミングコントローラ３２０は、受信された画像データを、３次元ディスプレイパネル３３０のディスプレイパネルに対応する望まれるデータフォーマットをもつ画像データに変換し始める。
【００１３】
例えば、図３で提案される適応型タイミングコントローラ３２０は、空間次元で配列された３次元画像データ（例えば１つの画像フレームは、左目画像データと右目画像データとを含む）を、シャッターメガネ型３次元ディスプレイパネルのために時間次元で配列された３次元画像データ（例えば左目画像データ及び右目画像データは、異なる画像フレームで配置される）に自動的に配列し直す。他方で、適応型タイミングコントローラ３２０は、時間／空間の次元で配列された３次元画像データを、ＰＲ型３次元ディスプレイパネルのために空間次元で配列された３次元画像データに自動的に配列し直す。
【００１４】
３次元ディスプレイパネル３３０は、ＳＯＣチップ３１０の正常な動作周波数６０Ｈｚよりも高い１２０Ｈｚで通常動作される。従って、適応型タイミングコントローラ３２０と３次元ディスプレイパネル３３０との間の帯域幅は、ＳＯＣチップ３１０の動作周波数よりも高い、少なくとも１２０Ｈｚを有する必要がある。従って、帯域幅の理由のため、ＳＯＣチップのステージでよりも、タイミングコントローラのステージでデータ変換を行うことが適しており、従ってＳＯＣチップとパネルモジュールとの間の帯域幅が予約され、オリジナルの安価なＳＯＣチップをなお利用することができる。
【００１５】
図４を参照して、本発明の実施の形態に係る適応型タイミングコントローラの機能ブロック図が示される。適応型タイミングコントローラ３２０は、受信機３２２、フレームバッファ３２４、データフォーマットチェック回路３２６及びデータ変換ユニット３２８を含む。受信機３２２は、ＳＯＣチップ３１０から送出された１つの画像フレームの画像データを受信する。適応タイミングコントローラ３２０は、フレームバッファ３２４における１つの画像フレームの画像データを記憶する。次いで、データフォーマットチェック回路３２６は、画像データと３次元ディスプレイパネル３３０のディスプレイタイプを検出する。データフォーマットチェック回路３２６は、どのような種類のデータフォーマットの画像データが、限定されるものではないがＩ２Ｃバス、ＬＶＤＳ予約ビット又はＴＴＬバスを通して送出されているかを検出する。次いで、データフォーマットチェック回路３２６は、どのような種類のデータコンバータを使用すべきかを決定する。その後、フレームバッファ３２４に記憶される画像データは、画像データのデータフォーマット（ディスプレイタイプ）及び３次元ディスプレイパネル３３０のディスプレイタイプに対応する決定されたデータコンバータに送出される。データ変換回路３２８は、画像データを、３次元ディスプレイパネルのディスプレイタイプに対応する配列し直された画像データに実質的に配列し直す。配列し直された画像は、例えばシャッターメガネ型３次元ディスプレイパネル用のフレームシーケンシャル方式のデータフォーマット、又はＰＲ型３次元ディスプレイパネル用の左右の映像を走査線毎に交互に伝送するデータフォーマットに対応する。
【００１６】
例えば、画像データのデータフォーマットが左右の映像を走査線毎に交互に伝送するデータフォーマットであり、３次元ディスプレイパネル３３０がシャッターメガネ型３次元ディスプレイパネルである場合、画像データは、データコンバータ３２８＿ａに送出される。従って、左右の映像を走査線毎に交互に伝送するデータフォーマットの画像データは、シャッターメガネ型に対応するフレームシーケンシャル方式のデータフォーマットで配列し直された画像データに変換される。画像データのデータフォーマットが（図５に示されるような）フレームパッキング方式のデータフォーマットであり、３次元ディスプレイパネルがシャッターメガネ型３次元ディスプレイパネルである場合、画像データは、データコンバータ３２８＿ｂに送出される。従って、フレームパッキング方式のデータフォーマットの画像データは、シャッターメガネ型に対応するフレームシーケンシャル方式のデータフォーマットで配列し直された画像データに変換される。画像データのデータフォーマットが（図６に示されるような）トップボトム方式のデータフォーマットであり、３次元ディスプレイパネルがシャッターメガネ型ディスプレイパネルである場合、画像データは、データコンバータ３２８＿ｃに送出される。トップボトム方式のデータフォーマットの画像データは、シャッターメガネ型に対応するフレームシーケンシャル方式のデータフォーマットの配列し直された画像データに変換される。画像データのデータフォーマットが（図７に示されるような）サイドバイサイド方式のデータフォーマットであり、３次元ディスプレイパネルがシャッターメガネ型３次元ディスプレイパネルである場合、画像データは、データコンバータ３２８＿ｄに送出される。従って、サイドバイサイド方式のデータフォーマットの画像データは、シャッターメガネ型に対応するフレームシーケンシャル方式のデータフォーマットで配列し直された画像データに変換される。
【００１７】
推測の過程に従い、画像データのデータフォーマットがフレームシーケンシャル方式のデータフォーマットであり、３次元ディスプレイパネルがＰＲ型３次元ディスプレイパネルである場合、画像データは、データコンバータ３２８＿ｅに送出される。従って、フレームシーケンシャル方式のデータフォーマットの画像データは、ＰＲ型に対応する左右の映像を走査線毎に交互に伝送するデータフォーマットで配列し直された画像データに変換される。画像データのデータフォーマットが（図５に示されるような）フレームパッキング方式のデータフォーマットであり、３次元ディスプレイパネルがＰＲ型３Ｄディスプレイパネルである場合、画像データは、データコンバータ３２８＿ｆに送出される。従って、フレームパッキング方式のデータフォーマットの画像データは、ＰＲ型に対応する左右の映像を走査線毎に交互に伝送するデータフォーマットで配列し直された画像データに変換される。画像データのデータフォーマットが（図６に示されるような）トップボトム方式のデータフォーマットであり、３次元ディスプレイパネルがＰＲ型３次元ディスプレイパネルである場合、画像データは、データコンバータ３２８＿ｇに送出される。従って、トップボトム方式のデータフォーマットの画像データは、ＰＲ型に対応する左右の映像を走査線毎に交互に伝送するデータフォーマットで配列し直された画像データに変換される。画像データのデータフォーマットが（図７に示されるような）サイドバイサイド方式のデータフォーマットであり、３次元ディスプレイパネルがＰＲ型ディスプレイパネルである場合、画像データは、データコンバータ３２８＿ｈに送出される。従って、サイドバイサイド方式のデータフォーマットの画像データは、ＰＲ型に対応する左右の映像を走査線毎に交互に伝送するデータフォーマットの配列し直された画像データに変換される。
【００１８】
実際の設計及び応用において、先に提案された適応型タイミングコントローラ３２０の機能は、あるタイプのデータフォーマットをもつ画像データを別のタイプのデータフォーマットをもつ画像データにのみ変換するために固定される。さらに、適応型タイミングコントローラ３２０は、何れかのタイプのデータフォーマットを持つ画像データを何れか他のタイプのデータフォーマットをもつ画像データに変換するために設計される。
【００１９】
この開示は、適応タイミングコントローラの駆動方法を更に提案する。適応タイミングコントローラは、受信機、フレームバッファ、データフォーマットチェック回路及びデータ変換回路を含む。駆動方法は、以下のステップを含む。受信機は、画像フレームの画像データを受信する。フレームバッファは、画像データを一時的に記憶する。データフォーマットチェック回路は、画像データと３次元ディスプレイパネルのディスプレイタイプを検出する。データ変換回路は、画像データを、３次元ディスプレイパネルのディスプレイタイプに対応する配置し直された画像データに配置し直す。
【００２０】
適応型タイミングコントローラの先の駆動方法の詳細な説明は、図３から図７並びに関連するコンテンツで記載されおり、その詳細な説明は省略される。
【００２１】
この開示で提案される適応型タイミングコントローラ及びその駆動方法は、空間的な次元における異なるディスプレイタイプの異なるデータフォーマットを時間的な次元における目標とするディスプレイタイプの目標とするデータフォーマットに変換し、その一方で、適応型タイミングコントローラ及びその駆動方法は、時間／空間的な次元において異なるディスプレイタイプの異なるデータフォーマットを空間次元において目標とするディスプレイタイプの目標とするデータフォーマットに変換する。従って、異なるタイプのディスプレイパネルは、異なるディスプレイフォーマットをもつ画像データに対応して機能することができる。すなわち、異なるタイプのディスプレイパネルは、異なるタイプのＳＯＣチップと機能することができる。さらに、データ変換がタイミングコントローラのステージで実行されるので、ＳＯＣチップとパネルモジュール（適応型タイミングコントローラ）との間の帯域幅が節約され、オリジナルの安価なＳＯＣチップがなお利用され、製造業者は、異なるディスプレイタイプのディスプレイパネルを柔軟に選択することができる。
【００２２】
本発明は、例示を通して、好適な実施の形態の観点で記載されたが、本発明はこれに限定されるものではない。それどころか、本発明は様々な変更及び類似のアレンジメント及び手順をカバーすることが意図され、特許請求の範囲は、全ての係る変更及び類似のアレンジメント及び手順を包含するように、最も広い解釈がなされる。
【符号の説明】
【００２３】
３１０：ＳＯＣチップ
３２０：適応型タイミングコントローラ
３３０：３次元ディスプレイパネル
３２２，３２４：データコンバータ
３２６：データフォーマットチェック回路
３２８；データ変換ユニット
３２８＿ａ〜３２８＿ｈ：データコンバータ
【図１】
2012244625.tif 000003
【図２】
2012244625.tif 000004
【図３】
2012244625.tif 000005
【図４】
2012244625.tif 000006
【図５】
2012244625.tif 000007
【図６】
2012244625.tif 000008
【図７】
2012244625.tif 000009